(57)【要約】【課題】  温風供給手段の空気流路への洗濯液の浸入を防止するとともに、乾燥時の温風の供給を円滑に行なえるようにする。【解決手段】バックカバー９の機械室８内に外箱１内外を連通する筒状のケーシング２０を固定し、該ケーシング２０の内方にヒータ２１を配設する。ケーシング２０には、外箱１外から外気を流入する入口２３と回転槽１７に向かう吐出口２７を設け、該吐出口２７には軸穴３０が形成され、蓋部材２８がヒンジ軸２９を介して開閉自在に軸支された構成とする。【選択図】  図１
2005095325.tif 000002
【特許請求の範囲】
【請求項１】
外箱内に設けられた回転槽と、前記外箱上部に被着され、前記回転槽内に上方から洗濯
物を投入する投入口を有するトップカバーとを備えたものにおいて、
前記トップカバー内に設けられ外気が流通する空気流路と、前記トップカバーの前記回
転槽を臨む位置に設けられ前記空気流路を通過した外気が吐出される吐出口と、この吐出
口に開閉自在に設けられ該吐出口からの空気流により開放可能とした蓋部材を設けたこと
を特徴とする洗濯機。
【請求項２】
空気流路は、前記回転槽を回転することに基づいて当該回転槽内に外気を吸引する構成
であり、蓋部材は、この回転槽の回転に基づき吸引された外気の吐出口からの空気流に応
じて開閉する構成であることを特徴とする請求項１記載の洗濯機。
【請求項３】
空気流路は、その流路内に設けられた送風ファンを回転することに基づいて当該回転槽
内に外気を吐出する構成であり、蓋部材は、この送風ファンの回転に基づく空気流に応じ
て開閉する構成であることを特徴とする請求項１記載の洗濯機。
【請求項４】
空気流路は、その吐出口にかけて前記回転槽に向って下降傾斜する形状であることを特
徴とする請求項１〜３のいずれかに記載の洗濯機。
【請求項５】
蓋部材は、前記空気流路の吐出口近傍の側面に蓋部材の上部が軸支されることによって
回動自在に保持されていることを特徴とする請求項１〜３のいずれかに記載の洗濯機。
【請求項６】
蓋部材は、その下部が前記空気流路の吐出口に当接した状態にて、蓋部材の上側が後方
に傾斜する角度に保持されることを特徴とする請求項５記載の洗濯機。
【発明の詳細な説明】
【技術分野】
【０００１】
本発明は、乾燥機能を備えた洗濯機に関する。
【背景技術】
【０００２】
従来、一般に乾燥機能を備えた洗濯機は、送風ファン及びヒータを動作することに基づ
いて外気を温風化した後、回転槽内に乾燥風として供給し、もって内部の洗濯物を乾燥す
る構成とし、外気はトップカバー内の空気流路を通して回転槽内に吸引する構成のものが
ある（例えば、特許文献１参照）。
【特許文献１】特開２０００−２７１３７４号公報（第２図，第２頁）
【発明の開示】
【発明が解決しようとする課題】
【０００３】
しかしながら、上記した構成の場合、空気流路の吐出口が回転槽に向いて開放されたま
まとなっていたので、洗濯時に洗濯液が飛散した場合、吐出口から空気流路の内部に水が
浸入し、内部に配設された送風ファンやヒータ等の電装品の絶縁低下を招いたり、洗濯液
の粘性により空気流路内壁にごみや埃が付着し、堆積したりする問題点を有していた。
本発明は上述の問題点を解決するために、洗濯時の洗濯液が空気流路に浸入し難い構成
とした洗濯機を提供することを目的とする。
【課題を解決するための手段】
【０００４】
上記目的を達成するために、本発明の洗濯機は、外箱内に設けられた回転槽と、前記外
箱上部に被着され、前記回転槽内に上方から洗濯物を投入する投入口を有するトップカバ
ーとを備えたものにおいて、前記トップカバー内に設けられ外気が流通する空気流路と、
前記トップカバーの前記回転槽を臨む位置に設けられ前記空気流路を通過した外気が吐出
される吐出口と、この吐出口に開閉自在に設けられ該吐出口からの空気流により開放可能
とした蓋部材を設けたことを主たる特徴とするものである。
【発明の効果】
【０００５】
本発明の洗濯機によれば、蓋部材は吐出口からの空気流により開放するときを除いて、
吐出口を塞いでいるため、洗濯中に洗濯液が飛散しても空気流路内に侵入するおそれがな
く、それによって空気流路内にごみや埃が付着堆積することを未然に防止することができ
る。
【発明を実施するための最良の形態】
【０００６】
（実施例１）
本発明の第１実施例を示す図１乃至図３に基づいて説明する。まず、図１に示すように
、外箱１は上面が開口する矩形箱状をなすものであり、底部に設けられた４本の脚部２に
よって支えられている。該外箱１内の上部四隅には複数のロッド３の一端が固定されてお
り、各ロッド３の他端にはダンパスプリング４が挿入されている。
【０００７】
外箱１の上端部にはトップカバー５が被着されている。このトップカバー５は外箱１の
上端部を周回する矩形枠状をなすものであり、トップカバー５の中央部には投入口６が形
成されている。この投入口６は下方へ突出する筒状をなすものであり、トップカバー５に
は投入口６を開閉する外蓋７が回動操作可能に装着されている。
【０００８】
トップカバー５の後方には、機械室８が区画形成されるとともに、この機械室８の上面
を塞ぐ板状のバックカバー９が取付固定されている。一方、外箱１内には、水受槽１０が
収納されている。この水受槽１０は、複数のロッド３の外周面にスライド可能に装着され
ており、複数のダンパスプリング４によって弾性的に支持されている。この水受槽１０の
上端部には円環状の水槽カバー１１が固定されている。また、水受槽１０の底面には排水
管１２が接続されており、排水管１２に介在された排水弁１３を開閉することで、水受槽
１０内に洗濯液を貯留したり、機外へ排出したりすることが可能としている。
【０００９】
水受槽１０の底面には駆動源に相当する洗濯モータ１４が配設されており、洗濯モータ
１４の回転軸には撹拌軸１５が連結されている。この撹拌軸１５の外周面には円筒状の槽
軸１６が同軸状に配設されており、槽軸１６には水受槽１０内に位置して回転槽１７が固
定されている。この回転槽１７はトップカバー５の投入口６を通して洗濯物が投入され洗
いが行なわれる洗濯槽、及び洗濯物から回転遠心力で水分を排出する脱水槽として機能す
るものであり、回転槽１７の周壁には複数の貫通孔１８が形成されている。また、攪拌軸
１５上端には回転槽１７内に位置して撹拌体１９が設けられている。この撹拌体１９は回
転槽１７に対して回転することに基づいて水流を生成するものであり、回転槽１７内の洗
濯物は撹拌体１９が生成する水流によって洗浄される。
【００１０】
前記バックカバー９が取り付けられた機械室８内には、図２，３に示すように、洗濯機
の左側部に位置して外気に通じた空気流路としての筒状のケーシング２０が移動不能に設
けられている。このケーシング２０は前後方向へ延びるダクト状の直管であり、図１に示
すように全体として前方へ向うに従って下降傾斜する形状をなしている。  
なお、ケーシング２０内の中程には、吸入した外気を加熱するためのＰＴＣヒータから
構成されたヒータ２１が固定されている。
【００１１】
そして、バックカバー９の後板には、吸気口２２が形成され、この吸気口２２にケーシ
ング２０の入口２３を外方に臨ませて挿通することで、ケーシング２０を組み込んでいる
。またケーシング２０の入口２３には、フィルタ２４及び剛性の異物の侵入を防止するた
めの格子状の邪魔板２５が設けられている。
【００１２】
また、トップカバー５の投入口６の周壁には、図３に示すように切欠状の排気口２６が
形成されている。この排気口２６は、ケーシング２０の吐出口２７を前方に導出すべく挿
通する形状の開口であり、もって外箱１の内部はバックカバー９の吸気口２２，ケーシン
グ２０，及びトップカバー５の排気口２６を通して外部に通じた構成としている。
【００１３】
そしてケーシング２０の吐出口２７には、洗濯中に飛び散った洗濯液などがケーシング
２０内に浸入するのを防止すべく、蓋部材２８が設けられている。この蓋部材２８は、極
めて軽量で、厚さ０．５ミリ（ｍｍ）程度のＰＰ等のプラスチック材から成るもので、ケ
ーシング２０の吐出口２７形状に合わせて矩形に形成されている。そして、この蓋部材２
８の上端にはヒンジ軸２９が左右に突出形成され、これに対応したケーシング２０側にお
いては、その吐出口２７内面における両側上端に、前記蓋部材２８のヒンジ軸２９が挿入
され枢支される軸穴３０が形成されている。なお、その組立については、蓋部材２８を全
体に屈曲して弾性変形させることにより、そのヒンジ軸２９をケーシング２０の軸穴３０
に遊嵌状態で挿入することで、ケーシング２０の吐出口２７を開閉すべく揺動可能に取り
付けられている。しかして、蓋部材２８の寸法としては、ケーシング２０の吐出口２７形
状に対し幅寸法は若干小さく、しかし縦寸法は長い関係とし、蓋部材２８の下部が吐出口
２７下辺に外側から当接することで閉塞する構成としている。そして蓋部材２８は図１に
示すように、この閉塞状態において蓋部材２８の上側が後方に鉛直方向に対してθ度傾斜
する角度に保持されている。  
なお、図１及び図３において、トップカバー５の前方上面に操作パネル３１を設け、そ
の内方部位には制御装置３２を備えている。
【００１４】
この様に構成された洗濯機の作用につき説明すると、操作パネル３１から設定操作する
ことにより制御装置３２を介して洗い・すすぎ・脱水の各行程を順次実行するようになっ
ている。まず、洗い行程においては、回転槽１７内に被洗濯物を投入した後に、洗剤と共
に水道水を図示しない給水弁を介して回転槽１７内に供給し、所定の水量を水受槽１０内
に貯水する。そしてその後に撹拌体１９を洗濯モータ１４により回転駆動して被洗濯物を
撹拌し、以って被洗濯物の汚れを落とす洗い行程が実行される。
【００１５】
この洗い行程が終了すると、排水した後に、回転槽１７を９００ｒｐｍ程度に高速回転
させて中間脱水が行なわれる。これにより洗剤分を含んだ洗濯液の大半が被洗濯物から搾
り出されて排水管１２を介して機外へ排出され、以ってその次のすすぎ行程を効率良く短
時間に済ませることができるようにしている。そのすすぎ行程も、前記洗い行程と同様に
して行なわれる。その後、最終の脱水行程が、回転槽１７を９００ｒｐｍ程度に高速回転
させることにより実行される。
【００１６】
さて、このようにして脱水行程まで完了した被洗濯物を乾燥するにあたり、洗濯機の乾
燥行程につき以下に説明する。  
乾燥行程では、回転槽１７の低速回転と、撹拌体１９のみの撹拌回転を繰り返し、被洗
濯物の乾燥と撹拌を行う。回転槽１７が回転していない通常の状態においては、蓋部材２
８はそれ自身の重さによりケーシング２０の吐出口２７を塞ぐ状態にある。これに対し、
回転槽１７が回転を開始すると、回転槽１７の回転による負圧現象を利用することによっ
て外気が吸引され、バックカバー９の吸気口２２を介してケーシング２０の入口２３およ
び吐出口２７を通して回転槽１７内に外気が供給される。この時、吐出口２７から吐出さ
れる外気たる空気流による風圧が重力に勝ることによって蓋部材２８を回動して押し開き
、もって吐出口２７から外気が通過できる程度の開放状態に維持する。
【００１７】
その後、回転槽１７の回転が停止すれば、再び蓋部材２８は自身の重さにより吐出口２
７を塞いだ状態に復帰する。従って、前段の脱水行程においても回転槽１７の高速回転に
よって外気が吸引され吐出口２７から吐出され、蓋部材２８は開放状態になる。
【００１８】
このように回転槽１７が回転しない、例えば洗い行程時など常時は、蓋部材２８はケー
シング２０の吐出口２７を塞いでいて、回転槽１７の回転に伴ない、必要時だけ開くよう
になっている。また乾燥行程時に回転槽１７内に吸入される外気は、回転槽１７内にその
上面から入り、遠心力により回転槽１７内の洗濯物を通過した後、回転槽１７の側面に穿
設された複数の貫通孔１８等を通して回転槽１７の外部に排出される。この排出流は回転
槽１７および水受槽１０間の隙間から水受槽１０の上面を通って水受槽１０の外部に流れ
て外箱１下方の開口部１ａ又は上方の投入口６を通して外蓋７等の隙間を経て機外に排出
されるか、或いは水受槽１０から排水管１２を介して外箱１の機外へ排出される。
【００１９】
即ち、乾燥運転時には外気が回転槽１７内の洗濯物に乾燥風として自然に供給されるこ
とに基づいて洗濯物の乾燥が促進される。加えて、この乾燥行程ではヒータ２１がケーシ
ング２０内で外気を加熱し温風化して乾燥風として供給できることにより、洗濯物の乾燥
効率を増進させることができる。しかも、この回転槽１７の乾燥運転時の回転方向は図２
の矢印Ａ方向に設定され、且つケーシング２０は回転槽１７の左右方向の中心線ＣＬに対
して回転方向Ａに偏った部分に配置されているため、吐出口２７付近に回転槽１７の回転
に伴う負圧状態が生じ易くなり、ケーシング２０から回転槽１７内への乾燥風の流入を一
層促進している。
【００２０】
なお、上記乾燥行程の前段の最終脱水行程においても、回転槽１７が高速回転しヒータ
２１の加熱が行なわれない点で異なるものの、該回転槽１７の回転による負圧現象や蓋部
材２８が吐出口２７からの空気流により開放状態に維持される。従って、この脱水運転で
は回転槽１７内には、外気がそのまま供給され、所謂冷風による洗濯物の乾燥作用を得る
ことができる。  
このことから、例えば温風乾燥を望まないで冷風乾燥を所望する場合など、脱水運転時
間を長時間設定するなどして効果的に行なうことができる。
【００２１】
上記した第１実施例によれば、次の効果を奏する。  
まず、常時は蓋部材２８がケーシング２０の吐出口２７を塞いでいるため、洗濯中の洗
濯液が飛散してもケーシング２０内に浸入するおそれがなく、もってケーシング２０内の
ヒータ３０など電装部品の絶縁低下を生じることがなく、またケーシング２０内壁にごみ
や埃が付着堆積することを未然に防止することができる。
【００２２】
また、ケーシング２０を前傾して設けたため、万一ケーシング２０内に水が浸入しても
速やかに排出され、浸入した水がヒータ２１などの電装部品まで到達しにくいため、もっ
て水の影響で故障したり漏電が生じたりすることが一層確実に防止される。しかもケーシ
ング２０は回転槽１７に向かって傾斜して設けられているので、回転槽１７の回転によっ
て外気の吸入が容易におこなわれるとともに、乾燥風が回転槽１７内に向かって吸引され
るように供給されるため、回転槽１７に対する乾燥風の供給量が増え、洗濯物の乾燥性能
が更に向上する。
【００２３】
この構成によれば、別に送風ファン等を設ける必要もないことから、簡易な構成にて安
易に提供でき、しかも脱水運転では冷風（外気）による乾燥効果を得ることが可能である
など、実用的な効果が期待できる。  
また、蓋部材２８の開閉は外気の流れである空気流を利用して行なわれる構成であるた
め、例えば電動式などに比べ、省エネルギー且つ故障などのおそれもない。  
さらに、蓋部材２８の上側が後方に鉛直方向に対してθ度傾斜する角度に保持されてい
る構成であるため、蓋部材２８は吐出口２７下辺に当接したままで揺動しにくく、洗濯運
転時の洗濯機の振動によって生じる騒音（カタカタ音）を防止することができる。
【００２４】
なお、本発明は上記実施例に限らず、ケーシング２０の吐出口２７近傍に設けられた軸
穴３０の代わりにヒンジ軸を突出させ形成し、逆に蓋部材２８上端左右側面に設けられた
ヒンジ軸２９の代わりに軸穴を設けてもよいなど、実施に際して種々変更して実施可能で
ある。
【００２５】
（変形例）
次に、本発明の第１実施例の変形例を示す図４に基づいて説明する。  
図４は、吐出口２７及び蓋部材３３の拡大斜視図であり、上記した第１実施例を示す構
成とは次の点が異なっている。以下、上記第１実施例と同一部分には、同一符号を付して
説明を省略し、異なる蓋部材３３の構成についてのみ説明する。
【００２６】
この変形例は、蓋部材３３を図４に示すように吐出口２７の形状に合わせてやゝ小形の
矩形に形成したものである。この蓋部材３３の枢支構造は上記実施例と同様に、その上端
にヒンジ軸２９が左右に突出形成され、これに対応したケーシング２０側においては、そ
の吐出口２７内面における両側上端に前記蓋部材３３のヒンジ軸２９が挿入され枢支され
る軸穴３０が形成されている。しかるに蓋部材３３の形状寸法としては、ケーシング２０
の吐出口２７の内側寸法に対し、幅寸法、縦寸法ともに若干短く、蓋部材３３の下辺３３
ａ，左辺３３ｂ，及び右辺３３ｃがケーシング２０に当たらないように構成している。そ
のため、自然状態では蓋部材３３はヒンジ軸２９から鉛直方向に懸垂状態に維持されてい
る。
【００２７】
そして、乾燥運転時に回転槽１７が回転を開始すると、回転槽１７の回転による負圧現
象を利用することによって外気が吸引され、バックカバー９の吸気口２２を介してケーシ
ング２０の入口２３および吐出口２７を通して回転槽１７内に供給される。この時、吐出
口２７から吐出される外気たる空気流による風圧が重力に勝ることによって蓋部材３３を
回動して押し開き、以って吐出口２７から外気が通過できる程度の開放状態に維持する。
【００２８】
上記した変形例の構成によれば、蓋部材３３が懸垂状態にあり、また、蓋部材３３の下
辺３３ａ，左辺３３ｂ，及び右辺３３ｃとケーシング２０との間に隙間が生じるため、該
隙間から乾燥運転の開始に伴って回転槽１７への外気の吸込みがスムーズに開始され得る
ことで、以って、蓋部材３３を懸垂状態から開放状態へ容易に推移させ、さらなる吸気を
促進することができる。
【００２９】
また、蓋部材３３が懸垂状態に保持され、蓋部材３３が揺動してもケーシング２０また
は吐出口２７に衝突することもない構成であるため、洗濯運転時の洗濯機の振動によって
生じる騒音（カタカタ音）の発生を防止することができる。
【００３０】
（実施例２）
次に、本発明の第２実施例を示す図５に基づいて説明する。  
図５は、図１相当図で、上記した第１実施例を示す構成とは次の点が異なっている。以
下、上記第１実施例と同一部分には、同一符号を付して説明を省略し、異なる部分につい
てのみ説明する。
【００３１】
この第２実施例は、図５に示すようにケーシング２０の入口２３近傍且つヒータ２１の
前段に吸気用の電動の送風ファン３４設け、この送風ファン３４により吸気口２２を通し
てケーシング２０内に十分量の外気を吸込むことができる構成としたものである。この送
風ファン３４の回転を制御するＯＮ／ＯＦＦ動作は、乾燥行程時における回転槽１７の回
転のＯＮ／ＯＦＦ動作に同期して行なわれるようになっている。この第２実施例において
も第１実施例と同様に蓋部材２８の上側は後方にθ度傾斜する角度に保持されている。
【００３２】
上記した構成によれば、前記した第１実施例に説明したような回転槽１７の回転に伴う
吸気に加え、送風ファン３４の回転による強制的な吸気を合わせて利用することで一層大
量の外気を回転槽１７内に迎え入れることができるようになり、もって吸気不足のおそれ
が全くなくて信頼性を高めるとともに、洗濯物の乾燥を一層効率良く且つ素早く行なうこ
とができるようになる。
【００３３】
（実施例３）
次に、本発明の第３実施例を示す図６乃至図８に基づいて説明する。  
図６は図２相当図で、図７は操作パネル要部の拡大正面図、図８は乾燥行程における運
転パターンを示す図である。この第３実施例は、上記した第１実施例と第２実施例を巧み
に組み合わせた構成を特徴とするもので、以下上記第１実施例及び第２実施例と同一部分
には、同一符号を付して説明を省略し、異なる部分についてのみ説明する。
【００３４】
この第３実施例は、トップカバー５の左右両側に２つのケーシング２０，２０を併設し
て配置し、そのうちの左側のケーシング２０は、内部にヒータ２１を設けた第１実施例と
同様の構成であり、また右側のケーシング２０は内部にヒータ２１及び送風ファン３４を
設けた第２実施例と同様の構成としている。なお、説明の便宜上、左側配置のヒータ２１
はヒータ２１ａと称し、同右側配置のヒータ２１はヒータ２１ｂと称して以下説明する。
【００３５】
その他、もちろんそれぞれ２つのケーシング２０，２０の吐出口２７，２７には、蓋部
材
２８，２８が設けられている。ただ、左側のケーシング２０の入口２３には、フィルタや
邪魔板は特段設けていない点で、上記第１実施例と異なる。
【００３６】
次いで、上記構成の作用について説明するに、２つのケーシング２０，２０は基本的に
それぞれ第１実施例、第２実施例の記載のように動作するものであるが、本実施例の特徴
とする両者を同時に使用する態様の一例について以下に説明する。  
トップカバー５上面前方に配設された操作パネル３５には、図６に示すように「温風乾
燥」の文字が表記された温風乾燥コース選択部３６ａと、この温風乾燥コース表示部３６
ａの押圧操作に夫々対応し発光するＬＥＤを有する「強」、「弱」運転の表示部３６ｂ、
及び乾燥時間設定部３６ｃ等が配設されている。制御装置３７は、操作パネル３５によっ
て使用者が乾燥運転の使用を選択することに基づいて、この選択設定された乾燥運転を開
始する。なお、制御装置３７は、温風乾燥コース選択部３６ａが押圧される毎に、表示部
３６ｂに「弱」と表記されたＬＥＤのみが発光した状態，或は「強」と表記されたＬＥＤ
のみが発光した状態，全消灯状態の３つの状態を繰り返すようになっている。
【００３７】
そして、この乾燥行程におけるヒータ２１ａ，２１ｂ、送風ファン３４のそれぞれの制
御態様は、操作パネル３５でまず「強」運転が選択された場合には、図８（ａ）に示す運
転パターンが実行される。即ち、回転槽１７の高速回転（１４分）と洗濯物を撹拌する撹
拌体１９の撹拌回転（１分）とを設定時間内交互に繰り返し実行される。そして、その間
、右側のケーシング２０に設けられた送風ファン３４及びこれと対のヒータ２１ｂは終始
ＯＮ状態のもとに乾燥風が生成される。
【００３８】
これに対し、左側のケーシング２０に設けられたヒータ２１ａは、回転槽１７の回転（
ＯＮ）とのみ同期して加熱されるが、１分間の撹拌体１９の回転時にはＯＦＦ状態となる
。このように「強」運転では、乾燥に寄与する回転槽１７の回転時に、多量の吸気を温風
化し乾燥風として最大限に利用され強力な乾燥作用が行なわれる。
【００３９】
一方、「弱」運転が選択された場合には、図８（ｂ）に示す運転パターンが実行される
。即ち、回転槽１７及び撹拌体１９の駆動パターンは、上記「強」運転と同じであるが、
特に左側配置ヒータ２１ａは、乾燥運転開始から終了までずっとＯＦＦ状態が維持される
ようになっている。従って、この「弱」運転では、終始ヒータ２１ｂのみによる温風化が
なされ、「強」運転に比しやゝ低温の乾燥風にて洗濯物の乾燥作用が行われる。
【００４０】
上記した構成によれば、２つのケーシング２０，２０を併設したことにより、どちらか
一つだけの構成のものに比べ、一層大量の外気を回転槽１７内に導入することができるよ
うになり、もって洗濯物の乾燥を一層効率良くかつ素早く行なうことができるようになる
。しかも温風乾燥コースを「強」、「弱」に選択設定可能となり、布質に合わせた乾燥が
できるなど使い勝手が良くなり、一層便利である。もちろん、２箇所の空気流路の吐出側
に設けられる蓋部材２８，２８からは上記実施例と同様、洗濯時の洗濯液が浸入すること
はない。
【００４１】
なお、本発明は上記各実施例に限らず、例えばケーシングの入口近傍に設けた塵等の侵
入を防止するフィルタ及び邪魔板はその両方もしくは片方を設けてもよいし、送風ファン
も適宜配設すればよく、その他蓋部材の形状や枢支構造など、実施に際して本発明の要旨
を逸脱しない範囲で種々変更して実施可能である。
【図面の簡単な説明】
【００４２】
【図１】本発明の第１実施例を示す縦断面図
【図２】一部切り欠いて示す平面図
【図３】上半部を示す斜視図
【図４】変形例を示す要部の拡大斜視図
【図５】本発明の第２実施例を示す図１相当図
【図６】本発明の第３実施例を示す図２相当図
【図７】操作パネル要部の拡大正面図
【図８】乾燥運転パターン（ａ）及び（ｂ）を示す図
【符号の説明】
【００４３】
１  外箱
５  トップカバー
６  投入口
１７  回転槽
２０  ケーシング（空気流路）
２１，２１ａ，２１ｂ  ヒータ
２２  吸気口
２３  入口
２６  排気口
２７  吐出口
２８，３３  蓋部材
２９  ヒンジ軸
３０  軸穴
３１，３５  操作パネル
３２，３７  制御装置
３４  送風ファン
【図１】
2005095325.tif 000003
【図２】
2005095325.tif 000004
【図３】
2005095325.tif 000005
【図４】
2005095325.tif 000006
【図５】
2005095325.tif 000007
【図６】
2005095325.tif 000008
【図７】
2005095325.tif 000009
【図８】
2005095325.tif 000010